(57)【要約】【課題】操作体の操作量を小さくする。【解決手段】入力装置１０では、スライドノブ８０（操作体）の第１方向への操作時に、第２可動体９２が、第２連結軸２２Ｆの軸回りに回動して、第２検出体３４を作動させる。そして、第２可動体９２では、第２可動体９２の他端部が、第２連結軸２２Ｆによってリッド２０に相対回動可能に連結され、第２可動体９２の長手方向中間部に、操作軸６２Ｄと連結された第２伝達部９２Ａが形成されている。さらに、第２可動体９２の一端部に、第２検出体３４を作動させるための第２被検出部９２Ｄが設けられている。これにより、スライドノブ８０の操作量（第２伝達部９２Ａの変位量）に比べて、第２被検出部９２Ｄの回動量（変位量）を大きくできる。したがって、スライドノブ８０の操作量を小さくできる。【選択図】図１
2019033058.tif 000002
【特許請求の範囲】
【請求項１】
互いに直交する第１方向及び第２方向に操作可能に構成された操作体と、
前記第１方向及び前記第２方向に直交する直交方向を軸方向とする操作軸を有し、前記操作体の操作時に前記操作体と共に前記第１方向又は前記第２方向へ移動する移動機構と、
作動することで前記操作体の操作を検出する一対の検出体と、
前記第１方向及び前記第２方向にそれぞれ延在され、一対の前記検出体の各々と対を成して構成されると共に、前記操作軸と連結されて前記操作体の操作力が伝達される伝達部を長手方向中間部に有し、且つ前記検出体を作動させるための被検出部を一端部に有する一対の可動体と、
一対の前記可動体の他端部及び前記可動体を支持する支持部材の一方に設けられ、前記操作軸と平行に配置されると共に、一対の前記可動体の他端部を前記支持部材に対して相対回動可能に連結する一対の連結軸と、
を備え、
前記操作体の前記第１方向への操作時には、前記第２方向に延在する前記可動体が前記操作軸によって回動して、対を成す前記検出体を前記被検出部により作動させ、
前記操作体の前記第２方向への操作時には、前記第１方向に延在する前記可動体が前記操作軸によって回動して、対を成す前記検出体を前記被検出部により作動させる入力装置。
【請求項２】
前記操作軸の軸心から前記被検出部までの距離が、前記操作軸と前記連結軸との軸間距離よりも長く設定されている請求項１に記載の入力装置。
【請求項３】
一対の前記可動体の伝達部には、前記操作軸が回動可能に挿入された伝達孔が形成され、
一対の前記可動体の他端部及び前記支持部材の他方には、前記可動体の長手方向に沿って延在された連結孔が形成されており、前記連結孔の内部に前記連結軸が前記連結孔の長手方向に相対移動可能に挿入されている請求項１又は請求項２に記載の入力装置。
【請求項４】
前記検出体は、対を成す前記可動体の幅方向の一方側及び他方側へ揺動可能に構成された揺動部を有し、且つ前記揺動部が揺動することで作動する双方向検出素子として構成されており、
前記被検出部は、
前記直交方向から見て前記揺動部に対して前記可動体の幅方向外側に配置され、前記可動体の回動時に前記揺動部を押圧して揺動させる一対の押圧部と、
一対の前記押圧部の間に配置されると共に、前記可動体の長手方向に延在され、内部に前記揺動部が配置される逃げ部と、
を含んで構成されている請求項３に記載の入力装置。
【請求項５】
前記直交方向を軸方向として回転操作可能に構成された回転操作部材を備え、
前記操作体の前記第１方向への操作時には、前記第１方向に延在する可動体が、前記操作軸によって前記第１方向へ移動して、前記回転操作部材に係合し、前記操作体の前記第２方向への操作時には、前記第２方向に延在する可動体が、前記操作軸によって前記第２方向へ移動して、前記回転操作部材に係合して、前記回転操作部材の回転操作を制限する請求項３又は請求項４に記載の入力装置。
【請求項６】
前記支持部材には、一対の前記可動体側へ突出され、一対の前記可動体と対を成して構成された一対の突起が設けられており、
前記可動体における前記伝達孔と前記被検出部との間には、前記突起が配置される配置孔が形成されると共に、前記配置孔の内周部には、前記突起と係合可能に構成された係合凹部が形成され、
前記操作体の前記第１方向への操作時には、第１方向に延在する可動体が、前記操作軸によって前記第１方向へ移動し、対を成す前記突起が前記係合凹部に係合して、当該可動体の回動を制限し、
前記操作体の前記第２方向への操作時には、第２方向に延在する可動体が、前記操作軸によって前記第２方向へ移動し、対を成す前記突起が前記係合凹部に係合して、当該可動体の回動を制限する請求項５に記載の入力装置。
【請求項７】
一対の前記可動体の長手方向中間部には、前記可動体の長手方向に延在された伝達孔が形成されており、前記伝達孔の内部に、前記操作軸が前記伝達孔の長手方向に相対移動可能に挿入されている請求項１又は請求項２に記載の入力装置。
【発明の詳細な説明】
【技術分野】
【０００１】
本発明は、入力装置に関する。
【背景技術】
【０００２】
下記特許文献１には、多方向に操作可能なつまみ（操作体）を有する多方向操作スイッチ（入力装置）が開示されている。この多方向操作スイッチでは、つまみが、左右方向（第１方向）に操作されると、レバースイッチ（検出体）が基板と共に左右に移動する。これにより、可動体がレバースイッチの操作部に当接して、操作部が揺動する。一方、つまみが、前後方向（第２方向）に操作されると、レバースイッチが基板と共に前後に移動する。これにより、可動体がレバースイッチの操作部に当接して、操作部が揺動する。このように、つまみが、左右方向又は前後方向に操作されることで、レバースイッチが作動するようになっている。
なお、多方向に操作可能の入力装置として、他に下記特許文献２に記載されたものがある。
【先行技術文献】
【特許文献】
【０００３】
【特許文献１】特許４１４４２４２号公報
【特許文献２】特許５８２８５７３号公報
【発明の概要】
【発明が解決しようとする課題】
【０００４】
しかしながら、上記多方向操作スイッチでは、レバースイッチを作動させるためには、つまみを所定量以上、操作させる必要がある。
一方、例えば、設置スペースとの関係で操作体の操作量を確保することができない場合がある。また、例えば、操作者への操作負担の軽減を目的として、操作量を小さくしたいとの要望もある。このため、入力装置では、操作体の操作量を小さくできる構成にすることが望ましい。
【０００５】
本発明は、上記事実を考慮して、操作体の操作量を小さくすることができる入力装置を提供する。
【課題を解決するための手段】
【０００６】
形態１：本発明の１又はそれ以上の実施形態は、互いに直交する第１方向及び第２方向に操作可能に構成された操作体と、前記第１方向及び前記第２方向に直交する直交方向を軸方向とする操作軸を有し、前記操作体の操作時に前記操作体と共に前記第１方向又は前記第２方向へ移動する移動機構と、作動することで前記操作体の操作を検出する一対の検出体と、前記第１方向及び前記第２方向にそれぞれ延在され、一対の前記検出体の各々と対を成して構成されると共に、前記操作軸と連結されて前記操作体の操作力が伝達される伝達部を長手方向中間部に有し、且つ前記検出体を作動させるための被検出部を一端部に有する一対の可動体と、一対の前記可動体の他端部及び前記可動体を支持する支持部材の一方に設けられ、前記操作軸と平行に配置されると共に、一対の前記可動体の他端部を前記支持部材に対して相対回動可能に連結する一対の連結軸と、を備え、前記操作体の前記第１方向への操作時には、前記第２方向に延在する前記可動体が前記操作軸によって回動して、対を成す前記検出体を前記被検出部により作動させ、前記操作体の前記第２方向への操作時には、前記第１方向に延在する前記可動体が前記操作軸によって回動して、対を成す前記検出体を前記被検出部により作動させる入力装置である。
【０００７】
形態２：本発明の１又はそれ以上の実施形態は、前記操作軸の軸心から前記被検出部までの距離が、前記操作軸と前記連結軸との軸間距離よりも長く設定されている入力装置である。
【０００８】
形態３：本発明の１又はそれ以上の実施形態は、一対の前記可動体の伝達部には、前記操作軸が回動可能に挿入された伝達孔が形成され、一対の前記可動体の他端部及び前記支持部材の他方には、前記可動体の長手方向に沿って延在された連結孔が形成されており、前記連結孔の内部に前記連結軸が前記連結孔の長手方向に相対移動可能に挿入されている入力装置である。
【０００９】
形態４：本発明の１又はそれ以上の実施形態は、前記検出体は、対を成す前記可動体の幅方向の一方側及び他方側へ揺動可能に構成された揺動部を有し、且つ前記揺動部が揺動することで作動する双方向検出素子として構成されており、前記被検出部は、前記直交方向から見て前記揺動部に対して前記可動体の幅方向外側に配置され、前記可動体の回動時に前記揺動部を押圧して揺動させる一対の押圧部と、一対の前記押圧部の間に配置されると共に、前記可動体の長手方向に延在され、内部に前記揺動部が配置される逃げ部と、を含んで構成されている入力装置である。
【００１０】
形態５：本発明の１又はそれ以上の実施形態は、前記直交方向を軸方向として回転操作可能に構成された回転操作部材を備え、前記操作体の前記第１方向への操作時には、前記第１方向に延在する可動体が、前記操作軸によって前記第１方向へ移動して、前記回転操作部材に係合し、前記操作体の前記第２方向への操作時には、前記第２方向に延在する可動体が、前記操作軸によって前記第２方向へ移動して、前記回転操作部材に係合して、前記回転操作部材の回転操作を制限する入力装置である。
【００１１】
形態６：本発明の１又はそれ以上の実施形態は、前記支持部材には、一対の前記可動体側へ突出され、一対の前記可動体と対を成して構成された一対の突起が設けられており、前記可動体における前記伝達孔と前記被検出部との間には、前記突起が配置される配置孔が形成されると共に、前記配置孔の内周部には、前記突起と係合可能に構成された係合凹部が形成され、前記操作体の前記第１方向への操作時には、第１方向に延在する可動体が、前記操作軸によって前記第１方向へ移動し、対を成す前記突起が前記係合凹部に係合して、当該可動体の回動を制限し、前記操作体の前記第２方向への操作時には、第２方向に延在する可動体が、前記操作軸によって前記第２方向へ移動し、対を成す前記突起が前記係合凹部に係合して、当該可動体の回動を制限する入力装置である。
【００１２】
形態７：本発明の１又はそれ以上の実施形態は、一対の前記可動体の長手方向中間部には、前記可動体の長手方向に延在された伝達孔が形成されており、前記伝達孔の内部に、前記操作軸が前記伝達孔の長手方向に相対移動可能に挿入されている入力装置である。
【発明の効果】
【００１３】
本発明の１又はそれ以上の実施形態によれば、操作体の操作量を小さくすることができる。
【図面の簡単な説明】
【００１４】
【図１】図１は、第１の実施の形態に係る入力装置の第１可動体及び第２可動体の周辺を示す一部破断した平面図である。
【図２】図２は、第１の実施の形態に係る入力装置を示す平面図である。
【図３】図３は、図２に示される入力装置を第１方向一方側から見た断面図（図２の３−３線断面図）である。
【図４】図４は、図２に示される入力装置を第２方向一方側から見た断面図（図２の４−４線断面図）である。
【図５】図５は、図２に示される入力装置の分解斜視図である。
【図６】図６（Ａ）は、図２に示されるスライドノブを第１方向一方側へ操作したときの第１可動体及び第２可動体の作動状態を示す平面図であり、図６（Ｂ）は、スライドノブを第１方向他方側へ操作したときの第１可動体及び第２可動体の作動状態を示す平面図である。図６（Ｃ）は、スライドノブを第２方向一方側へ操作したときの第１可動体及び第２可動体の作動状態を示す平面図であり、図６（Ｄ）は、スライドノブを第２方向他方側へ操作したときの第１可動体及び第２可動体の作動状態を示す平面図である。
【図７】図７は、第２の実施の形態に係る入力装置に用いられるロータリーノブアッシーを示す斜視図である。
【図８】図８は、第２の実施の形態に係る入力装置に用いられる第１可動体及び第２可動体を示す斜視図である。
【図９】図９は、第２の実施の形態に係る入力装置の第１可動体及び第２可動体の周辺を示す一部破断した平面図である。
【図１０】図１０（Ａ）は、第２の実施の形態に係る入力装置のスライドノブを第１方向一方側へ操作したときの第１可動体及び第２可動体の作動状態を示す平面図であり、図１０（Ｂ）は、スライドノブを第１方向他方側へ操作したときの第１可動体及び第２可動体の作動状態を示す平面図である。図１０（Ｃ）は、スライドノブを第２方向一方側へ操作したときの第１可動体及び第２可動体の作動状態を示す平面図であり、図１０（Ｄ）は、スライドノブを第２方向他方側へ操作したときの第１可動体及び第２可動体の作動状態を示す平面図である。
【図１１】図１１は、第３の実施の形態に係る入力装置の第１可動体及び第２可動体の周辺を示す一部破断した平面図である。
【図１２】図１２（Ａ）は、第３の実施の形態に係る入力装置のスライドノブを第１方向一方側へ操作したときの第１可動体及び第２可動体の作動状態を示す平面図であり、図１２（Ｂ）は、スライドノブを第１方向他方側へ操作したときの第１可動体及び第２可動体の作動状態を示す平面図である。図１２（Ｃ）は、スライドノブを第２方向一方側へ操作したときの第１可動体及び第２可動体の作動状態を示す平面図であり、図１２（Ｄ）は、スライドノブを第２方向他方側へ操作したときの第１可動体及び第２可動体の作動状態を示す平面図である。
【発明を実施するための形態】
【００１５】
（第１の実施の形態）
以下、図１〜図６を用いて、第１の実施の形態に係る入力装置１０について説明する。図２〜図５に示されるように、入力装置１０は、全体として、略円柱状に形成されている。なお、図面において、適宜示される矢印Ａは、入力装置１０の軸方向一方側（上側）を示しており、矢印Ｂは、入力装置１０の軸方向他方側（下側）を示している。また、以下の説明では、上側から見た平面視で、入力装置１０の軸線ＡＬを通過する仮想基準線を第１基準線Ｌ１（図２参照）とし、軸線ＡＬを通過し且つ第１基準線Ｌ１と直交する仮想基準線を第２基準線Ｌ２（図２参照）としている。そして、第１基準線Ｌ１の延在方向（図２の矢印Ｃ及び矢印Ｄ方向）が、本発明の「第１方向」に対応し、第２基準線Ｌ２の延在方向（図２の矢印Ｅ及び矢印Ｆ方向）が、本発明の「第２方向」に対応している。また、第１方向及び第２方向に直交する入力装置１０の上下方向（軸方向）が、本発明の「直交方向」に対応している。
【００１６】
入力装置１０は、入力装置１０の下側部分を構成する、ケース１２と、「支持部材」としてのリッド２０と、を有している。このケース１２内には、基板３０、「回転操作部材」としてのロータリーノブアッシー４０、スライド機構５０、及び移動機構６０が、収容されている。また、入力装置１０は、第１方向及び第２方向に操作可能に構成された「操作体」としてのスライドノブ８０を有しており、スライドノブ８０は、入力装置１０の上端側の部分を構成している。さらに、入力装置１０は、スライドノブ８０の第１方向及び第２方向への操作時に可動する「可動体」としての第１可動体９０及び第２可動体９２を有している。以下、入力装置１０の各構成について説明する。
【００１７】
（ケース１２について）
ケース１２は、入力装置１０の下側部分の外郭を構成している。ケース１２は、上下方向を軸方向とした略円筒状に形成されて、軸線ＡＬと同軸上に配置されている。ケース１２の上端部における直径寸法は、他の部分に比べて小さく設定されている。このため、ケース１２の上端部が、ケース１２の径方向内側へ張り出されている。
【００１８】
（リッド２０について）
リッド２０は、上下方向を板厚方向とした略円板状に形成されている。このリッド２０の外周部には、上方側へ突出されたリブ２０Ａが一体に形成されており、リブ２０Ａは、リッド２０の周方向全周に亘って形成されている。そして、リブ２０Ａが、下側からケース１２の開口部内に嵌入されて、リッド２０がケース１２に固定されている。これにより、ケース１２の下端部が、リッド２０によって閉塞されている。
【００１９】
リッド２０の略中央部には、後述する第１可動体９０及び第２可動体９２を支持するための支持部２２が形成されている。支持部２２は、リッド２０から上側へ隆起され且つ下側へ開放された有底円筒状に形成されている。支持部２２の上壁における中央部には、後述するピン６４を支持するための支持凹部２２Ａが形成されており、支持凹部２２Ａは、軸線ＡＬと同軸上に配置されている。この支持凹部２２Ａは、上側へ開放された凹状に形成されており、支持凹部２２Ａの内周面が、球面状の凹面によって構成されている。また、支持凹部２２Ａの径方向外側には、４箇所の傾斜凹部２２Ｂが形成されている。傾斜凹部２２Ｂは、支持凹部２２Ａの周方向に等間隔に配置されている。具体的には、平面視で、２箇所の傾斜凹部２２Ｂが、第１基準線Ｌ１に沿って配置されており、他の２箇所の傾斜凹部２２Ｂが、第２基準線Ｌ２に沿って配置されている。また、傾斜凹部２２Ｂは、支持凹部２２Ａの径方向から見て、上側へ開放された略半円状に形成されており、傾斜凹部２２Ｂの深さが、支持凹部２２Ａ側へ向かうに従い深くなるように、傾斜凹部２２Ｂが傾斜されている。
【００２０】
支持部２２の上壁には、支持凹部２２Ａに対して第１方向一方側（図４及び図５の矢印Ｃ方向側）において、「連結軸」としての第１連結軸２２Ｃが形成されている。この第１連結軸２２Ｃは、略円柱状に形成されて、支持部２２から上方側へ突出されている。支持部２２の上壁には、上側へ突出された一対の第１係止爪２２Ｄが形成されており、第１係止爪２２Ｄは、第１連結軸２２Ｃに対して第２方向一方側及び他方側に配置されている。さらに、支持部２２の上壁には、支持凹部２２Ａに対して第１方向他方側（図４及び図５の矢印Ｄ方向側）において、略円筒状の第１ボス２２Ｅが突出形成されている。
【００２１】
また、支持部２２の上壁には、支持凹部２２Ａに対して第２方向一方側（図３及び図５の矢印Ｅ方向側）において、「連結軸」としての第２連結軸２２Ｆが形成されている。この第２連結軸２２Ｆは、略円柱状に形成されて、支持部２２から上方側へ突出されている。支持部２２の上壁には、上方側へ突出された一対の第２係止爪２２Ｇが形成されており、第２係止爪２２Ｇは、第２連結軸２２Ｆに対して第１方向一方側及び他方側に配置されている。さらに、支持部２２の上壁には、支持凹部２２Ａに対して第２方向他方側（図３及び図５の矢印Ｆ方向側）において、略円筒状の第２ボス２２Ｈが突出形成されている。
【００２２】
また、支持部２２の上壁の外周部には、後述する第１可動体９０及び第２可動体９２を支持するための、支持片２２Ｊが突設されている。この支持片２２Ｊは、支持凹部２２Ａに対して第１方向他方側及び第２方向他方側に配置されるように、支持部２２の外周部に沿って延在されている。
【００２３】
（基板３０について）
基板３０は、上下方向を板厚方向とし、中央部に孔部３０Ａを有する略円環板状に形成されている。基板３０は、リッド２０のリブ２０Ａの上側に載置されて、ネジ等の締結部材によってリッド２０に固定されている。なお、基板３０の固定状態では、リッド２０の支持部２２が、基板３０の孔部３０Ａ内に配置されて、基板３０が支持部２２の径方向外側に配置されている。
【００２４】
基板３０の上面には、後述するスライドノブ８０の操作を検出するための一対の「検出体」としての第１検出体３２及び第２検出体３４が設けられている（実装されている）。第１検出体３２及び第２検出体３４は、基板３０の内周部において、基板３０の周方向に９０度離間して配置されている。具体的には、第１検出体３２が、リッド２０の支持部２２に対して第１方向他方側に配置されると共に、平面視で第１基準線Ｌ１と一致した位置に配置されている（図１参照）。一方、第２検出体３４は、支持部２２に対して第２方向他方側に配置されと共に、平面視で第２基準線Ｌ２と一致した位置に配置されている（図１参照）。
【００２５】
第１検出体３２及び第２検出体３４は、双方向検出素子として構成されている。すなわち、第１検出体３２（第２検出体３４）は、第１検出体３２（第２検出体３４）内の接点部をスイッチングするための「揺動部」としてのアクチュエータ３２Ａ（アクチュエータ３４Ａ）を有している。このアクチュエータ３２Ａ（アクチュエータ３４Ａ）は、第２方向（第１方向）に揺動可能に構成されている。そして、アクチュエータ３２Ａ（アクチュエータ３４Ａ）が揺動することで、第１検出体３２（第２検出体３４）が作動する構成になっている。
【００２６】
また、第１検出体３２及び第２検出体３４には、制御部３６（図５参照）が電気的に接続されている。そして、アクチュエータ３２Ａ（アクチュエータ３４Ａ）が作動することで、第１検出体３２（第２検出体３４）が、制御部３６へオン信号を出力する構成になっている。
【００２７】
さらに、基板３０の上面には、後述するロータリーノブアッシー４０の回転を検出するための回転用検出体３８が設けられている（実装されている）。この回転用検出体３８は、リッド２０の支持部２２に対して第２方向一方側に配置されている。また、軸線ＡＬから回転用検出体３８までの距離が、軸線ＡＬから第１検出体３２（第２検出体３４）までの距離に比べて長く設定されている。すなわち、回転用検出体３８が、第１検出体３２（第２検出体３４）よりも基板３０の径方向外側に配置されている。さらに、回転用検出体３８は、第１検出体３２（第２検出体３４）と同様に、双方向検出素子として構成されている。すなわち、回転用検出体３８は、アクチュエータ３８Ａを有しており、アクチュエータ３８Ａは、第１方向に揺動可能に構成されている。また、回転用検出体３８は、制御部３６に電気的に接続されている。
【００２８】
（ロータリーノブアッシー４０について）
ロータリーノブアッシー４０は、全体として上下方向を軸方向とした略円筒状に形成されている。そして、ロータリーノブアッシー４０は、ケース１２内において軸線ＡＬと同軸上に配置されて、ケース１２に回転可能に支持されている。
【００２９】
ロータリーノブアッシー４０は、軟質の樹脂材（例えば、エラストマ）によって構成された軟質部４２と、硬質の樹脂材（例えば、ＡＢＳ樹脂）によって構成された硬質部４４と、によって構成され、２色成形等の手法によって製作されている。具体的には、ロータリーノブアッシー４０は、硬質部４４を主要部として構成されており、硬質部４４の上端部に軟質部４２が一体に形成されている（図３及び図４参照）。また、軟質部４２は、ロータリーノブアッシー４０の上端外周部において、複数の把持部４０Ａを有している。この複数の把持部４０Ａは、ロータリーノブアッシー４０の径方向外側へ突出し且つ周方向に延在されると共に、ロータリーノブアッシー４０の周方向に所定間隔毎に並んで配置されている。
【００３０】
また、ロータリーノブアッシー４０の外周部における上下方向中間部には、複数（本実施の形態では、４箇所）の保持爪４０Ｂが一体に形成されている。複数の保持爪４０Ｂは、ロータリーノブアッシー４０の周方向に９０度毎に離間して配置されている。また、保持爪４０Ｂは、上端部をロータリーノブアッシー４０に接続した略矩形板状に形成されると共に、ロータリーノブアッシー４０の径方向に弾性変形可能に構成されている。さらに、保持爪４０Ｂの下端部には、ロータリーノブアッシー４０の径方向内側へ突出された保持爪部４０Ｂ１が一体に形成されている。
【００３１】
ロータリーノブアッシー４０の内周面には、複数の保持爪４０Ｂの各々に対応する一対の保持突起４０Ｃが形成されている（すなわち、８箇所の保持突起４０Ｃが形成されている）。一対の保持突起４０Ｃは、保持爪４０Ｂの上端部に対して、ロータリーノブアッシー４０の周方向一方側及び他方側にそれぞれ配置されると共に、ロータリーノブアッシー４０の内周面から径方向内側へ突出されている。
【００３２】
また、ロータリーノブアッシー４０の下端には、複数の被検出突起４０Ｄが一体に形成されている。この被検出突起４０Ｄは、ロータリーノブアッシー４０の径方向から見て、略Ｖ字形状に形成されると共に、ロータリーノブアッシー４０の周方向全周に亘って並んで配置されている。そして、被検出突起４０Ｄが、回転用検出体３８の上側に配置されており、回転用検出体３８のアクチュエータ３８Ａが、隣り合う被検出突起４０Ｄの間に配置されている。このため、ロータリーノブアッシー４０が回転すると、被検出突起４０Ｄがアクチュエータ３８Ａを押圧して、アクチュエータ３８Ａが揺動するようになっている。これにより、回転用検出体３８によって、ロータリーノブアッシー４０の回転方向及び回転位置を検出する構成になっている。
【００３３】
（スライド機構５０について）
スライド機構５０は、後述する移動機構６０を第１方向及び第２方向へスライド（移動）可能に保持する機構として構成されている。このスライド機構５０は、ホルダ５２と、スライダ５４と、を含んで構成されて、ロータリーノブアッシー４０の内部に収容されている。
【００３４】
＜ホルダ５２について＞
ホルダ５２は、下側へ開放された略有底円筒状に形成されている。ホルダ５２の外周部における上端部には、径方向外側へ張り出された固定鍔５２Ａが一体に形成されている。固定鍔５２Ａは、上下方向を板厚方向とした略円環板状に形成されている。そして、固定鍔５２Ａが、ロータリーノブアッシー４０の保持爪部４０Ｂ１と保持突起４０Ｃとによって上下に挟み込まれて、ホルダ５２がロータリーノブアッシー４０に保持されている。具体的には、ホルダ５２をロータリーノブアッシー４０内に下側から挿入し、ロータリーノブアッシー４０の保持爪４０Ｂが、固定鍔５２Ａによって押圧されて、径方向外側へ弾性変形する。これにより、固定鍔５２Ａが、保持爪部４０Ｂ１と保持突起４０Ｃとの間に配置されて、ホルダ５２がロータリーノブアッシー４０に組付けられている。
【００３５】
ホルダ５２の上壁の上面には、収容部５２Ｂが形成されている。この収容部５２Ｂは、上側へ開放された凹状を成すと共に、平面視で第２方向を長手方向とする略トラック形状に形成されている。収容部５２Ｂの略中央部には、略十字形状の挿通孔５２Ｃが貫通形成されている。具体的には、挿通孔５２Ｃは、第１方向を長手方向とする略矩形状の第１挿通孔５２Ｃ１と、第１挿通孔５２Ｃ１の長手方向中央部から第２方向一方側へ延出された第２挿通孔５２Ｃ２と、第１挿通孔５２Ｃ１の長手方向中央部から第２方向他方側へ延出された第３挿通孔５２Ｃ３と、を含んで構成されている。また、挿通孔５２Ｃは、第３挿通孔５２Ｃ３の先端部から第１方向一方側及び他方側へ延出された略スリット状の第４挿通孔５２Ｃ４を有している。
【００３６】
また、収容部５２Ｂの第２方向一方側及び他方側の端部には、一対の支持柱５２Ｄが形成されている。支持柱５２Ｄは、略矩形柱状に形成されて、収容部５２Ｂから上方側へ突出されている。支持柱５２Ｄの上面には、ガイドキー５２Ｅが突設されており、ガイドキー５２Ｅは、平面視で第２基準線Ｌ２に沿って直線状に延在されている。
【００３７】
＜スライダ５４について＞
スライダ５４は、下側へ開放された略有底筒状に形成されて、ホルダ５２の収容部５２Ｂの上側に配置されている。スライダ５４の下端部には、第１方向一方側及び他方側の部分において、第２方向に並ぶ一対のガイド部５４Ａがそれぞれ形成されている。一対のガイド部５４Ａは、上下方向を板厚方向とした略矩形板状に形成されて、スライダ５４から第１方向一方側及び他方側へそれぞれ突出されている。そして、一対のガイド部５４Ａが、ホルダ５２に対して第２方向へスライド可能に、ホルダ５２の収容部５２Ｂ内に収容されている。また、ガイド部５４Ａの収容部５２Ｂへの収容状態では、ガイド部５４Ａの先端部が収容部５２Ｂの内周面に当接することで、ガイド部５４Ａ（すなわちスライダ５４）の第１方向への移動が制限されている。
【００３８】
スライダ５４の上壁には、中央部において、挿通孔５４Ｂが貫通形成されている。挿通孔５４Ｂは、平面視で第１方向を長手方向とする略トラック形状に形成されている。さらに、スライダ５４の上端部には、一対のスライド片５４Ｃが一体に形成されている。スライド片５４Ｃは、上下方向を板厚方向とした略矩形板状に形成されて、スライダ５４から第２方向一方側及び他方側へ突出されている。このスライド片５４Ｃの下面には、幅方向中央部において、下側へ開放されたスライド溝５４Ｄが形成されており、スライド溝５４Ｄは、平面視で、第２基準線Ｌ２に沿って直線状に延在されている。そして、ホルダ５２のガイドキー５２Ｅが、スライド溝５４Ｄ内に相対移動可能に挿入されている。これにより、スライダ５４が第２方向へスライド可能にホルダ５２によって保持されており、スライダ５４が第２方向へのスライドを、ガイドキー５２Ｅによってガイドする構成になっている。
【００３９】
さらに、スライダ５４の上端部には、後述するノブベース６８をガイドするための一対のガイドレール５４Ｅが一体に形成されている。このガイドレール５４Ｅは、スライダ５４から第１方向一方側及び他方側へ突出されると共に、第１方向から見て、上方側へ開放された略Ｕ字形状に形成されている。すなわち、ガイドレール５４Ｅの幅方向中央部には、上側へ開放されたガイド溝５４Ｆが形成されており、ガイド溝５４Ｆが、平面視で、第１基準線Ｌ１に沿って延在されている。
【００４０】
（移動機構６０について）
移動機構６０は、後述するスライドノブ８０の第１方向及び第２方向への操作時にスライドノブ８０と一体的に移動して、スライドノブ８０の操作力を、後述する第１可動体９０及び第２可動体９２へ伝達するための機構として構成されている。また、移動機構６０は、シャフト６２と、ピン６４と、付勢バネ６６と、ノブベース６８と、を含んで構成されている。
【００４１】
＜シャフト６２について＞
シャフト６２は、上下方向を板厚方向とした板状のシャフトベース６２Ａを有しており、シャフトベース６２Ａは、平面視で略正八角形状に形成されている。シャフトベース６２Ａは、ホルダ５２の内部に収容されると共に、ホルダ５２の上壁の下側に隣接して配置されている。
【００４２】
シャフトベース６２Ａには、一対のストッパ片６２Ｂが一体に形成されている。ストッパ片６２Ｂは、シャフトベース６２Ａの中央部に対して、第２方向一方側及び他方側にそれぞれ配置されており、シャフトベース６２Ａから上側へ突出されている。また、ストッパ片６２Ｂは、第２方向を板厚方向とする略Ｔ字形板状に形成されている。具体的には、ストッパ片６２Ｂは、シャフトベース６２Ａから上側へ延出された基部６２Ｂ１と、基部６２Ｂ１の上端部から第１方向一方側及び他方側へ延出されたストッパ部６２Ｂ２と、を含んで構成されている。そして、一対のストッパ部６２Ｂ２が、ホルダ５２の収容部５２Ｂの上側に配置されて、シャフト６２がホルダ５２に組付けられている。これにより、ストッパ部６２Ｂ２とシャフトベース６２Ａとの間に、ホルダ５２の収容部５２Ｂが配置されて、シャフト６２のホルダ５２に対する上下移動が制限されている。
【００４３】
なお、シャフト６２をホルダ５２へ組付けるときには、一対のストッパ部６２Ｂ２における第２方向他方側のストッパ部６２Ｂ２をホルダ５２の第４挿通孔５２Ｃ４内に下側から挿入し、第２方向一方側のストッパ部６２Ｂ２を第１挿通孔５２Ｃ１内に下側から挿入する。次いで、シャフト６２を第２方向一方側へホルダ５２に対してスライドさせる。これにより、ストッパ部６２Ｂ２が収容部５２Ｂの上側に配置されて、シャフト６２がホルダ５２に組付けられている。なお、シャフト６２のホルダ５２への組付状態では、ストッパ片６２Ｂの基部６２Ｂ１がホルダ５２の挿通孔５２Ｃの内周面から離間されて、シャフト６２の第１方向及び第２方向への移動が許容される構成になっている。
【００４４】
また、シャフト６２は、上下方向を軸方向とした略円筒状のシャフト本体６２Ｃを有している。シャフト本体６２Ｃは、シャフトベース６２Ａの中央部から上側且つ下側へ突出されると共に、軸線ＡＬと同軸上に配置されている。また、シャフト本体６２Ｃの上部は、ホルダ５２の挿通孔５２Ｃ及びスライダ５４の挿通孔５４Ｂ内を挿通しており、シャフト本体６２Ｃの上端部が、スライダ５４に対して上側へ突出されている。
【００４５】
そして、シャフト本体６２Ｃの下部を、操作軸６２Ｄとしており、操作軸６２Ｄの軸心部には、ピン収容部６２Ｅ（図４参照）が形成されている。ピン収容部６２Ｅは、断面円形状を成す下側へ開放された凹状に形成されている。また、ピン収容部６２Ｅは、ピン収容部６２Ｅの下部を構成する第１ピン収容部６２Ｅ１（図４参照）と、ピン収容部６２Ｅの上部を構成する第２ピン収容部６２Ｅ２（図４参照）と、を有しており、第２ピン収容部６２Ｅ２の径寸法が、第１ピン収容部６２Ｅ１の径寸法よりも小さく設定されている。すなわち、ピン収容部６２Ｅの内周面には、上下方向中間部において、段差部が形成されている。一方、シャフト本体６２Ｃの上部における軸心部には、上側へ開放された固定凹部６２Ｆ（図５参照）が形成されている。
【００４６】
＜ピン６４について＞
ピン６４は、上下方向を軸方向としたシャフト状に形成されており、ピン６４の直径寸法が、第２ピン収容部６２Ｅ２の内径寸法よりも僅かに小さく設定されている。そして、ピン６４が、シャフト６２のピン収容部６２Ｅ内に相対移動可能に収容されている。具体的には、ピン６４の上端側の部分が、第２ピン収容部６２Ｅ２内に収容されている。
【００４７】
ピン６４の下端側の部分には、径方向外側へ張り出された鍔部６４Ａが一体に形成されている。鍔部６４Ａは、ピン６４の軸方向から見て、円形状に形成されており、鍔部６４Ａの直径寸法が、第１ピン収容部６２Ｅ１の内径寸法よりも僅かに小さく設定されている。そして、鍔部６４Ａが、第１ピン収容部６２Ｅ１の下端部内に配置されている（図４参照）。また、ピン収容部６２Ｅ内への収容状態では、ピン６４の下端部が、操作軸６２Ｄに対して下側へ突出されて、リッド２０の支持凹部２２Ａによって支持されている。さらに、ピン６４の下端部は、支持凹部２２Ａに対応する略半球状に形成されている。
【００４８】
＜付勢バネ６６について＞
付勢バネ６６は、圧縮コイルスプリングとして構成されている。そして、付勢バネ６６が、ピン６４の鍔部６４Ａよりも上側の部分に装着されて、ピン６４と共にピン収容部６２Ｅ内に収容されている。具体的には、付勢バネ６６の上端部が、ピン収容部６２Ｅの段差部に係止されて、付勢バネ６６の下端部が、ピン６４の鍔部６４Ａに係止されている。さらに、付勢バネ６６のピン収容部６２Ｅ内への収容状態では、付勢バネ６６が圧縮変形している。このため、ピン６４が、付勢バネ６６の付勢力によって、下側へ付勢されて、ピン６４の下端部が、支持凹部２２Ａに圧接されている。
【００４９】
＜ノブベース６８について＞
ノブベース６８は、全体として上側へ開放された略有底円筒状に形成されている。ノブベース６８は、入力装置１０の軸線ＡＬと同軸上に配置されると共に、シャフト本体６２Ｃの上側に隣接して配置されている。ノブベース６８の底壁部における中央部には、固定孔６８Ａが貫通形成されている。そして、固定孔６８Ａ内にネジＳが挿入されて、ネジＳがシャフト６２の固定凹部６２Ｆに螺合されることで、ノブベース６８がシャフト６２に固定されている。これにより、移動機構６０の全体が、一体移動可能に構成されている。
【００５０】
また、ノブベース６８の底壁には、下側へ突出されたガイド片６８Ｂ（図４参照）が一体に形成されている。このガイド片６８Ｂは、第２方向を板厚方向とした板状に形成されると共に、平面視で第１基準線Ｌ１に沿って延在している。そして、ガイド片６８Ｂが、前述したスライダ５４のガイド溝５４Ｆ内に、第１方向にスライド可能に挿入されている。これにより、ノブベース６８（移動機構６０）が、スライダ５４のガイド溝５４Ｆによってガイドされながら、スライダ５４に対して第１方向へ移動する構成になっている。一方、ノブベース６８（移動機構６０）が、第２方向へ移動するときには、ノブベース６８のガイド片６８Ｂがスライダ５４のガイド溝５４Ｆに係合して、ノブベース６８（移動機構６０）が、スライダ５４と共に、ホルダ５２に対して第２方向へ移動する構成になっている。
【００５１】
また、ノブベース６８の外周縁部には、４箇所のガイドレール６８Ｃが一体に形成されている。ガイドレール６８Ｃは、ノブベース６８の底壁部から上側へ突出された柱状に形成されると共に、ノブベース６８の周方向に９０度毎に離間して配置されている。具体的には、平面視で、２箇所のガイドレール６８Ｃが、第１基準線Ｌ１に沿って並んで配置されており、他の２箇所のガイドレール６８Ｃが、第２基準線Ｌ２に沿って並んで配置されている。また、ガイドレール６８Ｃは、平面視で、ノブベース６８の径方向外側へ開放された略Ｕ字形状に形成されている。これにより、ガイドレール６８Ｃの幅方向中央部には、ノブベース６８の径方向外側へ開放され且つ上下方向に延在されたガイド溝６８Ｄが形成されている。なお、ガイド溝６８Ｄの下端部は、ノブベース６８の底壁によって閉塞されている。
【００５２】
さらに、ノブベース６８の外周縁部には、３箇所の係合片６８Ｅが一体に形成されており、係合片６８Ｅは、ノブベース６８の底壁部から上側へ突出されると共に、ノブベース６８の周方向に１２０度毎に離間して配置されている。この係合片６８Ｅは、ノブベース６８の径方向を板厚方向とした略矩形板状に形成されると共に、平面視でノブベース６８の周方向に沿って湾曲されている。また、係合片６８Ｅの幅方向中央には、係合孔６８Ｅ１が貫通形成されている。
【００５３】
さらに、ノブベース６８の上側には、基板７０が、配置されている。この基板７０は、板厚方向を上下方向とした略円板状に形成されて、ノブベース６８に固定されている。基板３０の上面には、中央部において、スイッチ７２が設けられており、スイッチ７２はプッシュスイッチとして構成されている。また、基板７０は、接続部材７４（フレキシブルケーブル）によって基板３０に接続されており、スイッチ７２が制御部３６と電気的に接続されている。
【００５４】
（スライドノブ８０について）
スライドノブ８０は、操作者によって操作される操作部材として構成されている。このスライドノブ８０は、上下方向を板厚方向とした略円盤状に形成されて、ノブベース６８の上側において軸線ＡＬと同軸上に配置されている。ノブベース６８の外周部には、４箇所のガイド孔８０Ａが上下方向に貫通形成されており、ガイド孔８０Ａは、ノブベース６８のガイドレール６８Ｃに対応して配置されている。すなわち、平面視で、２箇所のガイド孔８０Ａが、第１基準線Ｌ１に沿って並んで配置されており、他の２箇所のガイド孔８０Ａが、第２基準線Ｌ２に沿って並んで配置されている。
【００５５】
また、ガイド孔８０Ａは、平面視で、ガイドレール６８Ｃと相似形を成す略Ｕ字形状に形成されている。すなわち、ガイド孔８０Ａ内には、ガイド片８０Ｂが設けられており、ガイド片８０Ｂは、スライドノブ８０の外周部から径方向内側へ突出されると共に、上下方向に延在されている。そして、ガイド孔８０Ａ内に、ノブベース６８のガイドレール６８Ｃが下側から挿入されて、スライドノブ８０が、ノブベース６８に対して上下方向に相対移動可能に連結されている。
【００５６】
そして、スライドノブ８０のノブベース６８への連結状態では、ノブベース６８が、スライドノブ８０と共に、第１方向及び第２方向へ一体的に移動するように構成されている。すなわち、スライドノブ８０が第１方向及び第２方向へ操作されたときには、ガイドレール６８Ｃがガイド孔８０Ａに係合して、ノブベース６８（移動機構６０）がスライドノブ８０と一体に第１方向及び第２方向へ移動する構成になっている。なお、スライドノブ８０のノブベース６８への連結状態では、ガイド片８０Ｂの下端部が、ノブベース６８の底壁に当接することで、スライドノブ８０の下側への移動が制限される構成になっている。
【００５７】
また、スライドノブ８０の中央部には、スイッチ７２と上下方向に対向するボス８０Ｃ（図３及び図４参照）が形成されている。これにより、スライドノブ８０が下方側へプッシュ操作されたときには、ボス８０Ｃがスイッチ７２を押圧して、スライドノブ８０のプッシュ操作がスイッチ７２によって検出される構成になっている。
【００５８】
なお、スライドノブ８０には、ノブベース６８の係合片６８Ｅに対応する３箇所の係合爪（図示省略）が設けられており、係合爪は、係合片６８Ｅの係合孔６８Ｅ１内に上下方向に相対移動可能に挿入されている。これにより、係合爪が、係合孔６８Ｅ１の上側の縁部に係合することで、スライドノブ８０の上方側への移動が制限されている。
【００５９】
また、スライドノブ８０の上側には、上下方向を厚み方向とし、且つ略円板状に形成されたタッチパッド８２が載置されている。タッチパッド８２は、両面テープなどの接着部材によって、スライドノブ８０に固定されている。
【００６０】
また、スライドノブ８０の外周部には、略リング状のノブリング８４が固定されており、ノブリング８４とスライドノブ８０によってタッチパッド８２が上下方向に挟持されている。このノブリング８４は、複数（本実施の形態では、３箇所）の固定片８４Ａを有しており、固定片８４Ａは、ノブリング８４の周方向に１２０度毎に離間して配置されている。そして、固定片８４Ａが、スライドノブ８０の、図示しない固定爪に係合して、ノブリング８４がスライドノブ８０に固定されている。
【００６１】
（第１可動体９０について）
第１可動体９０は、前述した第１検出体３２と対を成して構成されている。図１にも示されるように、第１可動体９０は、上下方向を板厚方向とした略矩形板状に形成されると共に、第１方向に沿って延在されている。具体的には、第１可動体９０は、平面視で、第１基準線Ｌ１を幅方向の中心として第１基準線Ｌ１に沿って延在されている。第１可動体９０の長手方向中間部は、「伝達部」としての第１伝達部９０Ａとされており、第１伝達部９０Ａには、円形の「伝達孔」としての第１伝達孔９０Ｂが貫通形成されている。この第１伝達孔９０Ｂには、シャフト６２の操作軸６２Ｄが回動可能に挿入されている。これにより、スライドノブ８０が第１方向又は第２方向へ操作されたときには、シャフト６２によって、スライドノブ８０の操作力が第１伝達部９０Ａに伝達（入力）される構成になっている。
【００６２】
第１可動体９０には、第１伝達孔９０Ｂに対して長手方向一方側（先端側であり、図１の矢印Ｄ方向側）の部位において、傾斜部９０Ｃが形成されている。傾斜部９０Ｃは、第１可動体９０の先端側へ向かうに従い上側へ傾斜されている。このため、第１可動体９０の一端部（先端部）が、他端部（基端部）に比べて上側に配置されている。また、第１可動体９０の一端側の部分は、前述したリッド２０の支持片２２Ｊの上側に隣接して配置されて、支持片２２Ｊによって摺動可能に支持されている。
【００６３】
第１可動体９０の一端部には、「被検出部」としての第１被検出部９０Ｄが形成されており、第１被検出部９０Ｄは、第１検出体３２の上側に配置されている。この第１被検出部９０Ｄは、平面視で、第１可動体９０の長手方向一方側へ開放された略Ｕ字形状に形成されている。具体的には、第１被検出部９０Ｄは、第１被検出部９０Ｄの幅方向両側部を構成する一対の「押圧部」としての第１押圧部９０Ｄ１と、一対の第１押圧部９０Ｄ１の間に配置され且つ第１可動体９０の長手方向一方側へ開放された「逃げ部」としての第１スリット９０Ｄ２と、を含んで構成されている。一対の第１押圧部９０Ｄ１は、平面視で、第１検出体３２のアクチュエータ３２Ａに対して、第１可動体９０の幅方向外側に配置されており、第１スリット９０Ｄ２の内部にアクチュエータ３２Ａが配置されている。そして、第１可動体９０が、第１方向へ可動（変位）するときには、アクチュエータ３２Ａと第１被検出部９０Ｄとの干渉を、第１スリット９０Ｄ２によって抑制する構成になっている。
【００６４】
また、第１可動体９０の他端部は、第１連結部９０Ｅ（広義には、「連結部」として把握される要素である）とされている。この第１連結部９０Ｅの幅方向中央部には、「連結孔」としての第１連結孔９０Ｆが貫通形成されており、第１連結孔９０Ｆは、第１可動体９０の長手方向（すなわち、第１基準線Ｌ１）に沿った長孔状に形成されている。第１連結孔９０Ｆの幅寸法は、前述したリッド２０の第１連結軸２２Ｃの直径寸法よりも僅かに大きく設定されている。そして、第１連結孔９０Ｆの内部に、第１連結軸２２Ｃが相対移動可能に挿入されている。これにより、第１可動体９０の第１連結部９０Ｅ（他端部）が、第１連結軸２２Ｃによって、リッド２０に相対回動可能に連結されている。
【００６５】
そして、スライドノブ８０の第１方向への操作力が第１伝達部９０Ａに伝達（入力）されたときには、第１連結孔９０Ｆが第１連結軸２２Ｃに対して第１方向に相対移動しつつ、第１可動体９０が第１検出体３２に対して第１方向に相対移動する構成になっている。
一方、スライドノブ８０の第２方向への操作力が第１伝達部９０Ａに伝達（入力）されたときには、当該操作力によって、第１可動体９０が第１連結軸２２Ｃの軸回り（図１の矢印Ｊ方向又は矢印Ｋ方向）に回動するようになっている。これにより、第１検出体３２のアクチュエータ３２Ａが、第１可動体９０の第１押圧部９０Ｄ１によって押圧されて、第１検出体３２が作動する構成になっている。
【００６６】
さらに、操作軸６２Ｄ（すなわち、第１伝達孔９０Ｂ）の軸心から第１被検出部９０Ｄ（詳しくは、第１押圧部９０Ｄ１におけるアクチュエータ３２Ａを押圧する部位）までの距離ｄ１（図１参照）が、操作軸６２Ｄと第１連結軸２２Ｃとの軸間距離ｄ２（図１参照）よりも長く設定されている。すなわち、第１伝達孔９０Ｂが、第１可動体９０の他端側寄りに配置されている。
【００６７】
また、第１可動体９０の一端側の部分には、幅方向中央部において、円形の第１位置決め孔９０Ｇが貫通形成されている。第１位置決め孔９０Ｇは、前述したリッド２０の第１ボス２２Ｅと同軸上に配置されている。これにより、第１位置決め孔９０Ｇと第１ボス２２Ｅとの位置を合わせつつ、第１可動体９０の第１連結部９０Ｅをリッド２０の一対の第１係止爪２２Ｄの間に挿入することで、第１可動体９０をリッド２０へ組付ける構成になっている。なお、第１可動体９０が第１連結軸２２Ｃの軸回りに回動するときには、第１可動体９０が一対の第１係止爪２２Ｄに干渉しないように、一対の第１係止爪２２Ｄ間距離が設定されている。
【００６８】
（第２可動体９２について）
第２可動体９２は、前述した第２検出体３４と対を成して構成されている。また、第２可動体９２は、上下方向を板厚方向とした略矩形板状に形成されると共に、第２方向に沿って延在されている。具体的には、第２可動体９２は、平面視で、第２基準線Ｌ２を幅方向の中心として第２基準線Ｌ２に沿って延在されている。また、第２可動体９２は、第１可動体９０の上側に隣接して配置されている。そして、第２可動体９２は、第１可動体９０から傾斜部９０Ｃを省略した構造と同様の構造を成している。
【００６９】
すなわち、第２可動体９２の長手方向中間部は、「伝達部」としての第２伝達部９２Ａとされており、第２伝達部９２Ａには、円形の「伝達孔」としての第２伝達孔９２Ｂが貫通形成されている。そして、第２伝達孔９２Ｂには、シャフト６２の操作軸６２Ｄが回動可能に挿入されている。これにより、シャフト６２によって、スライドノブ８０の操作力が第２伝達部９２Ａに伝達（入力）される構成になっている。
【００７０】
また、第２可動体９２では、第１可動体９０の傾斜部９０Ｃが形成されていないため、一端部と他端部との高さが、同一に設定されている。そして、第２可動体９２の一端側の部分が、リッド２０の支持片２２Ｊの上側に隣接して配置されて、支持片２２Ｊによって摺動可能に支持されている。
【００７１】
さらに、第２可動体９２の一端部が、「被検出部」としての第２被検出部９２Ｄとされており、第２被検出部９２Ｄが、第２検出体３４の上側に配置されている。また、第２被検出部９２Ｄは、一対の「押圧部」としての第２押圧部９２Ｄ１と、「逃げ部」としての第２スリット９２Ｄ２と、を含んで構成されている。そして、一対の第２押圧部９２Ｄ１が、平面視で、第２検出体３４のアクチュエータ３４Ａに対して、第２可動体９２の幅方向外側に配置されており、第２スリット９２Ｄ２の内部にアクチュエータ３４Ａが配置されている。
【００７２】
また、第２可動体９２の他端部が、第２連結部９２Ｅ（広義には、「連結部」として把握される要素である）とされている。第２連結部９２Ｅには、「連結孔」としての第２連結孔９２Ｆが貫通形成されており、第２連結孔９２Ｆは、第２可動体９２の長手方向（すなわち、第２基準線Ｌ２）に沿った長孔状に形成されている。また、第２連結孔９２Ｆの幅寸法は、前述したリッド２０の第２連結軸２２Ｆの直径寸法よりも僅かに大きく設定されている。そして、第２連結孔９２Ｆの内部に、第２連結軸２２Ｆが相対移動可能に挿入されている。これにより、第２可動体９２の第２連結部９２Ｅ（他端部）が、第２連結軸２２Ｆによって、リッド２０に相対回動可能に連結されている。
【００７３】
そして、スライドノブ８０の第２方向への操作力が第２伝達部９２Ａに伝達（入力）されたときには、第２連結孔９２Ｆが第２連結軸２２Ｆに対して第２方向へ相対移動しつつ、第２可動体９２が第２方向に第２検出体３４に対して相対移動する構成になっている。
一方、スライドノブ８０の第１方向への操作力が第２伝達部９２Ａに伝達（入力）されたときには、当該操作力によって、第２可動体９２が第２連結軸２２Ｆの軸回り（図１の矢印Ｇ方向又は矢印Ｈ方向）に回動するようになっている。これにより、第２検出体３４のアクチュエータ３４Ａが、第２可動体９２の第２押圧部９２Ｄ１によって押圧されて、第２検出体３４が作動する構成になっている。
【００７４】
さらに、操作軸６２Ｄ（すなわち、第１伝達孔９０Ｂ）の軸心から第２被検出部９２Ｄ（詳しくは、第２押圧部９２Ｄ１におけるアクチュエータ３３Ａを押圧する部位）までの距離ｄ３（図１参照）が、操作軸６２Ｄと第２連結軸２２Ｆとの軸間距離ｄ４（図１参照）よりも長く設定されている。すなわち、第２伝達孔９２Ｂが、第２可動体９２の他端側寄りに配置されている。なお、本実施の形態では、距離ｄ１と距離ｄ３とが、同じに設定されており、軸間距離ｄ２と軸間距離ｄ４とが、同じに設定されている。
【００７５】
さらに、第２可動体９２の一端側の部分には、幅方向中央部において、円形の第２位置決め孔９２Ｇが貫通形成されており、第２位置決め孔９２Ｇは、前述したリッド２０の第２ボス２２Ｈと同軸上に配置されている。これにより、第２位置決め孔９２Ｇと第２ボス２２Ｈとの位置を合わせつつ、第２可動体９２の第２連結部９２Ｅをリッド２０の一対の第２係止爪２２Ｇの間に挿入することで、第２可動体９２をリッド２０へ組付ける構成になっている。なお、第２可動体９２が第２連結軸２２Ｆの軸回りに回動するときには、第２可動体９２が一対の第２係止爪２２Ｇに干渉しないように、一対の第２係止爪２２Ｇ間距離が設定されている。
【００７６】
（作用効果）
次に、スライドノブ８０の第１方向及び第２方向への操作時における、スライドノブ８０の操作検出について説明しつつ、第１の実施の形態の作用及び効果について説明する。
【００７７】
（スライドノブ８０の第１方向への操作について）
上記のように構成された入力装置１０では、図３（Ａ）及び図４（Ａ）に示される状態が、スライドノブ８０の非操作状態である。この状態では、シャフト６２の操作軸６２Ｄが軸線ＡＬと同軸上に配置されている。また、この状態では、図１に示されるように、第１可動体９０が第１方向に延在された初期状態に配置されており、第２可動体９２が第２方向に延在された初期状態に配置されている。そして、第１可動体９０（第２可動体９２）の初期状態では、第１可動体９０（第２可動体９２）の第１スリット９０Ｄ２（第２スリット９２Ｄ２）内に、第１検出体３２（第２検出体３４）のアクチュエータ３２Ａ（アクチュエータ３４Ａ）が配置されている。これにより、第１検出体３２（第２検出体３４）が非作動状態となっている。
【００７８】
この状態から、操作者によって、スライドノブ８０を第１方向一方側（図４（Ａ）の矢印Ｃ方向）へ操作すると、ノブベース６８（移動機構６０）がスライドノブ８０と共に第１方向一方側へ移動する。具体的には、ノブベース６８のガイド片６８Ｂが、スライダ５４のガイド溝５４Ｆによってガイドされながら、ガイド溝５４Ｆ内を第１方向一方側へ移動する。これにより、ノブベース６８（移動機構６０）がスライダ５４に対して第１方向一方側へ相対移動する（図４（Ｂ）参照）。
【００７９】
ノブベース６８（移動機構６０）が、第１方向一方側へ移動すると、移動機構６０のピン６４の下端部が、リッド２０の支持凹部２２Ａ上を第１方向一方側へ摺動する。これにより、ピン６４が、付勢バネ６６の付勢力に抗して、操作軸６２Ｄの軸方向上側へ変位しながら、支持凹部２２Ａから第１方向一方側へ抜け出て、傾斜凹部２２Ｂ上を第１方向一方側へ摺動する。よって、操作軸６２Ｄが、軸線ＡＬに対して第１方向一方側へ変位する（図４（Ｂ）参照）。
【００８０】
操作軸６２Ｄが、軸線ＡＬに対して第１方向一方側へ変位すると、第１方向一方側への操作力が第１可動体９０の第１伝達部９０Ａに入力（伝達）される。
【００８１】
ここで、図１に示されるように、第１可動体９０の第１連結孔９０Ｆは、第１方向に延在されており、第１連結孔９０Ｆ内に、第１連結軸２２Ｃが相対移動可能に挿入されている。このため、第１連結孔９０Ｆの長手方向に沿った操作力が、第１可動体９０に入力される。したがって、第１連結孔９０Ｆが第１連結軸２２Ｃに対して第１方向一方側へ相対移動しつつ、第１可動体９０が、第１検出体３２に対して第１方向一方側へ相対移動する。すなわち、第１可動体９０が、初期状態の姿勢を維持しつつ、第１方向一方側へ第１検出体３２に対して相対移動する（図６（Ａ）参照）。
【００８２】
このとき、第１検出体３２のアクチュエータ３２Ａが第１可動体９０の第１スリット９０Ｄ２内に配置された状態を維持しながら、第１可動体９０の第１被検出部９０Ｄがアクチュエータ３２Ａに対して第１方向一方側へ相対移動する。これにより、第１検出体３２の非作動状態が維持される。
【００８３】
一方、操作軸６２Ｄが、軸線ＡＬに対して第１方向一方側へ変位すると、第１方向一方側への操作力が、第２可動体９２の第２伝達部９２Ａに入力（伝達）される。
【００８４】
ここで、図１に示されるように、第２連結部９２Ｅの第２連結孔９２Ｆは、第２方向に延在されており、第２連結孔９２Ｆ内に、第２連結軸２２Ｆが相対移動可能に挿入されている。このため、第２連結孔９２Ｆの長手方向に対して直交する方向の操作力が、第２可動体９２の第２伝達部９２Ａに入力される。これにより、第２可動体９２が、第２連結軸２２Ｆの軸回り一方側（図１の矢印Ｇ方向側）へ回動しつつ、第２連結孔９２Ｆが第２連結軸２２Ｆに対して第２可動体９２の先端側へ若干相対移動する。したがって、図６（Ａ）に示されるように、第２可動体９２が、第２検出体３４に対して相対回動する。
【００８５】
このとき、第２可動体９２の第２被検出部９２Ｄが、第２検出体３４のアクチュエータ３４Ａに対して、第１方向一方側へ相対変位する。このため、第２被検出部９２Ｄにおける第２押圧部９２Ｄ１の一方が、アクチュエータ３４Ａを押圧して、アクチュエータ３４Ａが第１方向一方側へ揺動する。これにより、第２検出体３４が、作動して、制御部３６へオン信号を出力する。その結果、制御部３６が、スライドノブ８０の第１方向一方側への操作を検出する。
【００８６】
次に、操作者によって、スライドノブ８０を第１方向他方側へ操作すると、移動機構６０の操作軸６２Ｄが軸線ＡＬに対して、第１方向他方側へ変位する。なお、移動機構６０は、上述と同様に作動するため、移動機構６０の動作の説明は、割愛する。
【００８７】
操作軸６２Ｄが、軸線ＡＬに対して第１方向他方側へ変位すると、第１方向他方側への操作力が、第１可動体９０の第１伝達部９０Ａに入力（伝達）される。このため、第１可動体９０には、第１連結孔９０Ｆの長手方向に沿った操作力が入力される。したがって、図６（Ｂ）に示されるように、上述と同様に、第１可動体９０が、初期状態の姿勢を維持しつつ、第１検出体３２に対して第１方向他方側へ相対移動する。
【００８８】
このとき、第１検出体３２のアクチュエータ３２Ａが第１可動体９０の第１スリット９０Ｄ２内に配置された状態を維持しながら、第１可動体９０の第１被検出部９０Ｄがアクチュエータ３２Ａに対して第１方向他方側へ相対移動する。これにより、第１検出体３２の非作動状態が維持される。
【００８９】
一方、操作軸６２Ｄが、軸線ＡＬに対して第１方向他方側へ変位すると、第１方向他方側への操作力が、第２可動体９２の第２伝達部９２Ａに入力（伝達）される。このため、第２連結孔９２Ｆの長手方向に対して直交する方向の操作力が、第２伝達部９２Ａに入力される。これにより、上述と同様に、第２可動体９２が、第２連結軸２２Ｆの軸回り他方側（図１の矢印Ｈ方向側）へ回動しつつ、第２連結孔９２Ｆが第２連結軸２２Ｆに対して第２可動体９２の先端側へ若干相対移動する。したがって、図６（Ｂ）に示されるように、第２可動体９２が、第２検出体３４に対して相対回動する。
【００９０】
このとき、第２可動体９２の第２被検出部９２Ｄが、第２検出体３４のアクチュエータ３４Ａに対して、第１方向他方側へ相対変位する。このため、第２被検出部９２Ｄにおける第２押圧部９２Ｄ１の他方が、アクチュエータ３４Ａを押圧して、アクチュエータ３４Ａが第１方向他方側へ揺動する。これにより、第２検出体３４が、作動して、制御部３６へオン信号を出力する。その結果、制御部３６が、スライドノブ８０の第１方向他方側への操作を検出する。
【００９１】
（スライドノブ８０の第２方向への操作について）
図３（Ａ）に示されるスライドノブ８０の非操作状態から、操作者によって、スライドノブ８０を第２方向一方側（図３（Ａ）の矢印Ｅ方向）へ操作すると、ノブベース６８（移動機構６０）が、スライドノブ８０と共にホルダ５２に対して第２方向一方側へ移動する。具体的には、ノブベース６８のガイド片６８Ｂが、スライダ５４のガイドレール５４Ｅにおけるガイド溝５４Ｆに係合して、スライダ５４が第２方向一方側へ押圧される。このため、スライダ５４のスライド溝５４Ｄがホルダ５２のガイドキー５２Ｅに対して第２方向一方側へ相対移動する。これにより、ノブベース６８（移動機構６０）が、スライダ５４と共にホルダ５２に対して第２方向一方側へ移動する（図３（Ｂ）参照）。
【００９２】
ノブベース６８（移動機構６０）が、第２方向一方側へ移動すると、移動機構６０のピン６４の下端部が、リッド２０の支持凹部２２Ａ上を第２方向一方側へ摺動する。これにより、ピン６４が、付勢バネ６６の付勢力に抗して、操作軸６２Ｄの軸方向上側へ変位しながら、支持凹部２２Ａから第２方向一方側へ抜け出て、傾斜凹部２２Ｂ上を第２方向一方側へ摺動する。よって、操作軸６２Ｄが、軸線ＡＬに対して第２方向一方側へ変位する（図３（Ｂ）参照）。
【００９３】
操作軸６２Ｄが、軸線ＡＬに対して第２方向一方側へ変位すると、第２方向一方側への操作力が、第２可動体９２の第２伝達部９２Ａに入力（伝達）される。
【００９４】
ここで、上述のように、第２可動体９２の第２連結孔９２Ｆは、第２方向に延在されており、第２連結孔９２Ｆ内に、第２連結軸２２Ｆが相対移動可能に挿入されている。このため、第２連結孔９２Ｆの長手方向に沿った操作力が、第２可動体９２に入力される。したがって、第２連結孔９２Ｆが第２連結軸２２Ｆに対して第２方向一方側へ相対移動しつつ、第２可動体９２が、第２検出体３４に対して第２方向一方側へ相対移動する。すなわち、第２可動体９２が、初期状態の姿勢を維持しつつ、第２方向一方側へ第２検出体３４に対して相対移動する。
【００９５】
このとき、第２検出体３４のアクチュエータ３４Ａが第２可動体９２の第２スリット９２Ｄ２内に配置された状態を維持しながら、第２可動体９２の第２被検出部９２Ｄがアクチュエータ３４Ａに対して第２方向一方側へ相対移動する。これにより、第２検出体３４の非作動状態が維持される。
【００９６】
一方、操作軸６２Ｄが、軸線ＡＬに対して第２方向一方側へ変位すると、第２方向一方側への操作力が第１可動体９０の第１伝達部９０Ａに入力（伝達）される。
【００９７】
ここで、上述のように、第１可動体９０の第１連結孔９０Ｆは、第１方向に延在されており、第１連結孔９０Ｆ内に、第１連結軸２２Ｃが相対移動可能に挿入されている。このため、第１連結孔９０Ｆの長手方向に対して直交する方向の操作力が、第１可動体９０の第１伝達部９０Ａに入力される。これにより、第１可動体９０が、第１連結軸２２Ｃの軸回り一方側（図１の矢印Ｊ方向側）へ回動しつつ、第１連結孔９０Ｆが第１連結軸２２Ｃに対して第１可動体９０の先端側へ若干相対移動する。したがって、図６（Ｃ）に示されるように、第１可動体９０が、第１検出体３２に対して相対回動する。
【００９８】
このとき、第１可動体９０の第１被検出部９０Ｄが、第１検出体３２のアクチュエータ３２Ａに対して、第２方向一方側へ相対変位する。このため、第１被検出部９０Ｄにおける第１押圧部９０Ｄ１の一方が、アクチュエータ３２Ａを押圧して、アクチュエータ３２Ａが第２方向一方側へ揺動する。これにより、第１検出体３２が、作動して、制御部３６へオン信号を出力する。その結果、制御部３６が、スライドノブ８０の第２方向一方側への操作を検出する。
【００９９】
次に、操作者によって、スライドノブ８０を第２方向他方側へ操作すると、移動機構６０の操作軸６２Ｄが軸線ＡＬに対して、第２方向他方側へ変位する。なお、移動機構６０は、上述と同様に作動するため、移動機構６０の動作の説明は、割愛する。
【０１００】
操作軸６２Ｄが、軸線ＡＬに対して第２方向他方側へ変位すると、第２方向他方側への操作力が第２可動体９２の第２伝達部９２Ａに入力（伝達）される。このため、第２連結孔９２Ｆの長手方向に沿った操作力が、第２可動体９２に入力される。したがって、上述と同様に、第２可動体９２が、初期状態の姿勢を維持しつつ、第２検出体３４に対して第２方向他方側へ相対移動する（図６（Ｄ）参照）。
【０１０１】
このとき、第２検出体３４のアクチュエータ３４Ａが第２可動体９２の第２スリット９２Ｄ２内に配置された状態を維持しながら、第２可動体９２の第２被検出部９２Ｄがアクチュエータ３４Ａに対して第２方向他方側へ相対移動する。これにより、第２検出体３４の非作動状態が維持される。
【０１０２】
一方、操作軸６２Ｄが、軸線ＡＬに対して第２方向他方側へ変位すると、第２方向他方側への操作力が、第１可動体９０の第１伝達部９０Ａに入力（伝達）される。このため、第１連結孔９０Ｆの長手方向に対して直交する方向の操作力が、第１伝達部９０Ａに入力される。これにより、上述と同様に、第１可動体９０が、第１連結軸２２Ｃの軸回り他方側（図１の矢印Ｋ方向側）へ回動しつつ、第１連結孔９０Ｆが第１連結軸２２Ｃに対して第１可動体９０の先端側へ若干相対移動する。したがって、図６（Ｄ）に示されるように、第１可動体９０が、第１検出体３２に対して相対回動する。
【０１０３】
このとき、第１可動体９０の第１被検出部９０Ｄが、第１検出体３２のアクチュエータ３２Ａに対して、第２方向他方側へ相対変位する。このため、第１被検出部９０Ｄにおける第１押圧部９０Ｄ１の他方が、アクチュエータ３２Ａを押圧して、アクチュエータ３２Ａが第２方向他方側へ揺動する。これにより、第１検出体３２が、作動して、制御部３６へオン信号を出力する。その結果、制御部３６が、スライドノブ８０の第２方向他方側への操作を検出する。
【０１０４】
このように、第１の実施の形態の入力装置１０では、スライドノブ８０の第１方向（第２方向）への操作時には、第２可動体９２（第１可動体９０）が、第２連結軸２２Ｆ（第１連結軸２２Ｃ）の軸回りに回動して、第２検出体３４（第１検出体３２）を作動させる。
そして、第１可動体９０（第２可動体９２）では、他端部が、第１連結軸２２Ｃ（第２連結軸２２Ｆ）によってリッド２０に相対回動可能に連結されている。また、第１可動体９０（第２可動体９２）の長手方向中間部に、操作軸６２Ｄと連結された第１伝達部９０Ａ（第２伝達部９２Ａ）が形成されている。さらに、第１検出体３２（第２検出体３４）を作動させるための第１被検出部９０Ｄ（第２被検出部９２Ｄ）が、第１可動体９０（第２可動体９２）の一端部に設けられている。
すなわち、第１可動体９０（第２可動体９２）の回動支点となる第１連結軸２２Ｃ（第２連結軸２２Ｆ）と、第１可動体９０（第２可動体９２）の作用点となる第１被検出部９０Ｄ（第２被検出部９２Ｄ）と、の間に、操作力が入力される第１伝達部９０Ａ（第２伝達部９２Ａ）が設けられている。
【０１０５】
このため、第１可動体９０（第２可動体９２）が第１検出体３２（第２検出体３４）に対して相対回動するときには、第１被検出部９０Ｄ（第２被検出部９２Ｄ）における回動量（変位量）が、第１伝達部９０Ａ（第２伝達部９２Ａ）における回動量（変位量）よりも大きくなる。すなわち、第１被検出部９０Ｄ（第２被検出部９２Ｄ）における回動量（変位量）が、操作軸６２Ｄの変位量よりも大きくなる。これにより、スライドノブ８０の操作量に比べて、第１被検出部９０Ｄ（第２被検出部９２Ｄ）における回動量（変位量）を大きくすることができる。したがって、スライドノブ８０の操作量を小さくしつつ、スライドノブ８０の操作を検出することができる。
【０１０６】
また、操作軸６２Ｄの軸心から第１被検出部９０Ｄまでの距離ｄ１が、操作軸６２Ｄと第１連結軸２２Ｃとの軸間距離ｄ２よりも長く設定されている。さらに、操作軸６２Ｄの軸心から第２被検出部９２Ｄまでの距離ｄ３が、操作軸６２Ｄと第２連結軸２２Ｆとの軸間距離ｄ４よりも長く設定されている。このため、第１可動体９０（第２可動体９２）の第１伝達部９０Ａ（第２伝達部９２Ａ）が、第１連結軸２２Ｃ（第２連結軸２２Ｆ）寄りに配置されている。これにより、第１可動体９０（第２可動体９２）が操作軸６２Ｄによって回動するときの第１被検出部９０Ｄ（第２被検出部９２Ｄ）の変位量を一層大きくすることができる。したがって、スライドノブ８０の操作量を一層小さく設定することができる。
【０１０７】
さらに、上述のように、第１可動体９０（第２可動体９２）の第１伝達部９０Ａ（第２伝達部９２Ａ）には、第１伝達孔９０Ｂ（第２伝達孔９２Ｂ）が形成されており、第１伝達孔９０Ｂ（第２伝達孔９２Ｂ）に、操作軸６２Ｄが回動可能に挿入されている。また、第１可動体９０（第２可動体９２）の第１連結部９０Ｅ（第２連結部９２Ｅ）には、第１可動体９０（第２可動体９２）の長手方向に延在された第１連結孔９０Ｆ（第２連結孔９２Ｆ）が形成されており、第１連結孔９０Ｆ（第２連結孔９２Ｆ）の内部に第１連結軸２２Ｃ（第２連結軸２２Ｆ）が相対移動可能に挿入されている。
【０１０８】
このため、上述のように、スライドノブ８０の第１方向への操作時には、第２可動体９２のみを回動させて、第２検出体３４を作動させることができる。また、スライドノブ８０の第２方向への操作時には、第１可動体９０のみを回動させて、第１検出体３２を作動させることができる。
【０１０９】
また、第１検出体３２及び第２検出体３４は、双方向検出素子として構成されており、第１検出体３２（第２検出体３４）は、アクチュエータ３２Ａ（アクチュエータ３４Ａ）を有している。さらに、第１可動体９０（第２可動体９２）は、一端部において、第１被検出部９０Ｄ（第２被検出部９２Ｄ）を有しており、第１被検出部９０Ｄ（第２被検出部９２Ｄ）は、一対の第１押圧部９０Ｄ１（第２押圧部９２Ｄ１）と、一対の第１押圧部９０Ｄ１（第２押圧部９２Ｄ１）の間に配置され且つ第１可動体９０（第２可動体９２）の長手方向に延在された第１スリット９０Ｄ２（第２スリット９２Ｄ２）と、を含んで構成されている。このため、スライドノブ８０の第１方向への操作時に、第１可動体９０が第１方向に沿って移動しても、第１スリット９０Ｄ２によって、第１被検出部９０Ｄとアクチュエータ３２Ａとの干渉を抑制できる。また、スライドノブ８０の第２方向への操作時に、第２可動体９２が第２方向に沿って移動しても、第２スリット９２Ｄ２によって、第２被検出部９２Ｄとアクチュエータ３４Ａとの干渉を抑制できる。
【０１１０】
（第２の実施の形態）
以下、図７〜図１０を用いて、第２の実施の形態に係る入力装置１００について説明する。第２の実施の形態の入力装置１００では、以下に示す点を除いて、第１の実施の形態の入力装置１０と同様に構成されている。なお、図面では、第１の実施の形態と同様の構成された部分に、同一の符号を付している。また、図９及び図１０では、便宜上、ロータリーノブアッシー４０のみを下方から見た図として図示している。
【０１１１】
第２の実施の形態では、図７に示されるように、ロータリーノブアッシー４０の外周部における下端部に、複数の被係合凹部４０Ｅが形成されている。被係合凹部４０Ｅは、下側へ開放された凹状に形成されると共に、ロータリーノブアッシー４０の径方向に貫通されている。また、複数の被係合凹部４０Ｅは、ロータリーノブアッシー４０の周方向全周に亘って、所定の間隔を空けて並んで配置されている。具体的には、被係合凹部４０Ｅが、隣り合う被検出突起４０Ｄの間に配置されている。
【０１１２】
図８及び図９に示されるように、第１可動体９０では、傾斜部９０Ｃが省略されており、第１可動体９０の長手方向の長さが、第１の実施の形態と比べて長く設定されている。第１可動体９０の一端側の部分には、上側且つ一端側へ略クランク状に屈曲されたクランク部９０Ｈが形成されており、クランク部９０Ｈよりも第１可動体９０の長手方向一方側の部分が、第１被検出部９０Ｄとされている。第１被検出部９０Ｄでは、第１スリット９０Ｄ２が、第１可動体９０の長手方向に沿った長孔状に形成されており、一対の第１押圧部９０Ｄ１が第１スリット９０Ｄ２の幅方向外側に配置されている。
【０１１３】
さらに、第１被検出部９０Ｄの先端部には、一端側係合部９０Ｊが一体に形成されている。この一端側係合部９０Ｊは、上側へ屈曲されたベース部９０Ｊ１と、ベース部９０Ｊ１の幅方向中央部から第１可動体９０の長手方向一方側へ突出された係合部９０Ｊ２と、を含んで構成されている。そして、係合部９０Ｊ２は、ロータリーノブアッシー４０の被係合凹部４０Ｅと係合可能に構成されている。
【０１１４】
また、第１可動体９０の第１連結部９０Ｅには、長手方向中間部（詳しくは、第１連結孔９０Ｆよりも長手方向他方側の部位）において、上側且つ長手方向他方側へクランク状に屈曲されたクランク部９０Ｋが形成されている。そして、第１連結部９０Ｅの長手方向他方側の端部には、他端側係合部９０Ｌが一体に形成されている。この他端側係合部９０Ｌは、上側へ屈曲されたベース部９０Ｌ１と、ベース部９０Ｌ１の幅方向中央部から第１可動体の長手方向他方側へ突出された係合部９０Ｌ２と、を含んで構成されている。そして、係合部９０Ｌ２が、ロータリーノブアッシー４０の被係合凹部４０Ｅと係合可能に構成されている。
【０１１５】
さらに、第１可動体９０には、第１被検出部９０Ｄと第１伝達部９０Ａとの間の位置において、「配置孔」としての第１配置孔９０Ｍが貫通形成されており、第１配置孔９０Ｍは、平面視で第１可動体９０の幅方向を長手方向とする略矩形状に形成されている。さらに、第１配置孔９０Ｍの内周部には、一対の「係合凹部」としての第１係合凹部９０Ｍ１が貫通形成されている。この第１係合凹部９０Ｍ１は、平面視で、第１配置孔９０Ｍの幅方向中央部から第１可動体９０の長手方向一方側及び他方側へ凹んだ凹状に形成されている。
【０１１６】
また、第２可動体９２では、第１可動体９０と同様に、長手方向の長さが、第１の実施の形態に比べて長く設定されている。第２可動体９２の第２被検出部９２Ｄでは、第２スリット９２Ｄ２が、第２可動体９２の長手方向に沿った長孔状に形成されており、一対の第２押圧部９２Ｄ１が第２スリット９２Ｄ２の幅方向外側に配置されている。
【０１１７】
さらに、第２被検出部９２Ｄの先端部には、一端側係合部９２Ｊが一体に形成されている。この一端側係合部９２Ｊは、上側へ屈曲されたベース部９２Ｊ１と、ベース部９２Ｊ１の幅方向中央部から第２可動体９２の長手方向一方側へ突出された係合部９２Ｊ２と、を含んで構成されている。そして、係合部９２Ｊ２は、ロータリーノブアッシー４０の被係合凹部４０Ｅと係合可能に構成されている。
【０１１８】
また、第２連結部９２Ｅの長手方向他方側の端部には、他端側係合部９２Ｌが一体に形成されている。この他端側係合部９２Ｌは、上側へ屈曲されたベース部９２Ｌ１と、ベース部９２Ｌ１の幅方向中央部から第２可動体の長手方向他方側へ突出された係合部９２Ｌ２と、を含んで構成されている。そして、係合部９２Ｌ２が、ロータリーノブアッシー４０の被係合凹部４０Ｅと係合可能に構成されている。
【０１１９】
さらに、第２可動体９２には、第２被検出部９２Ｄと第２伝達部９２Ａとの間の位置において、「配置孔」としての第２配置孔９２Ｍが貫通形成されており、第２配置孔９２Ｍは、平面視で第２可動体９２の幅方向を長手方向とする略矩形状に形成されている。さらに、第２配置孔９２Ｍの内周部には、一対の「係合凹部」としての第２係合凹部９２Ｍ１が形成されており、第２係合凹部９２Ｍ１は、平面視で、第２配置孔９２Ｍの幅方向中央部から第２可動体９２の長手方向一方側及び他方側へ凹んだ凹状に形成されている。
【０１２０】
図９に示されるように、リッド２０の支持部２２の上壁には、一対の「突起」としての第１突起２２Ｋ及び第２突起２２Ｌが突設されている。第１突起２２Ｋは、第１可動体９０における第１配置孔９０Ｍの幅方向中央部に配置されると共に、第１係合凹部９０Ｍ１に係合可能に構成されている。また、第２突起２２Ｌは、第２可動体９２における第２配置孔９２Ｍの幅方向中央部に配置されると共に、第２係合凹部９２Ｍ１に係合可能に構成されている。
【０１２１】
そして、スライドノブ８０が非操作状態から第１方向一方側（他方側）へ操作されると、第１の実施の形態と同様に、操作軸６２Ｄが軸線ＡＬに対して、第１方向一方側（他方側）へ変位する。このため、第１方向一方側（他方側）への操作力が第２可動体９２に入力される。これにより、図１０（Ａ）及び（Ｂ）に示されるように、第２可動体９２が第２連結軸２２Ｆの軸回り一方側（他方側）へ回動して、第２被検出部９２Ｄにおける第２押圧部９２Ｄ１が第２検出体３４のアクチュエータ３４Ａを押圧する。その結果、第２検出体３４が作動して、制御部３６がスライドノブ８０の第１方向一方側（他方側）への操作を検出する。なお、第２可動体９２の回動時には、第２可動体９２の第２配置孔９２Ｍが第２突起２２Ｌに対して相対変位して、第２可動体９２の回動が許容される。
【０１２２】
一方、スライドノブ８０が非操作状態から第２方向一方側（他方側）へ操作されると、第１の実施の形態と同様に、操作軸６２Ｄが軸線ＡＬに対して、第２方向一方側（他方側）へ変位する。このため、図１０（Ｃ）及び（Ｄ）に示されるように、第２方向一方側（他方側）への操作力が第１可動体９０に入力される。これにより、第１可動体９０が第１連結軸２２Ｃの軸回り一方側（他方側）へ回動して、第１被検出部９０Ｄにおける第１押圧部９０Ｄ１が第１検出体３２のアクチュエータ３２Ａを押圧する。その結果、第１検出体３２が作動して、制御部３６がスライドノブ８０の第２方向一方側（他方側）への操作を検出する。なお、第１可動体９０の回動時には、第１可動体９０の第１配置孔９０Ｍが第１突起２２Ｋに対して相対変位して、第１可動体９０の回動が許容される。
【０１２３】
以上により、第２の実施の形態においても、第１可動体９０（第２可動体９２）の回動によって第１検出体３２（第２検出体３４）が作動するため、第１の実施の形態と同様の作用効果を奏することができる。
【０１２４】
また、第２の実施の形態では、スライドノブ８０が第１方向一方側（他方側）へ操作されると、第１の実施の形態と同様に、第１方向一方側（他方側）への操作力が第１可動体９０に入力される。このため、第１可動体９０が、図９に示される初期状態の姿勢を維持しつつ、第１方向一方側（他方側）へ移動する（図１０（Ａ）及び（Ｂ）参照）。
【０１２５】
ここで、第１可動体９０の一端部には、係合部９０Ｊ２が形成され、第１可動体９０の他端部には、係合部９０Ｌ２が形成されており、係合部９０Ｊ２、９０Ｌ２は、ロータリーノブアッシー４０の被係合凹部４０Ｅと係合可能に構成されている。そして、スライドノブ８０の第１方向一方側（他方側）への操作時に、第１可動体９０が第１方向一方側（他方側）へ移動すると、係合部９０Ｌ２（係合部９０Ｊ２）が、ロータリーノブアッシー４０の被係合凹部４０Ｅ内に挿入される（図１０（Ａ）及び（Ｂ）参照）。このため、ロータリーノブアッシー４０の周方向において、係合部９０Ｌ２（係合部９０Ｊ２）と被係合凹部４０Ｅとが係合する。これにより、ロータリーノブアッシー４０の回転操作を制限することができる。
【０１２６】
さらに、第２の実施の形態では、スライドノブ８０が第２方向一方側（他方側）へ操作されると、第２の実施の形態と同様に、第２方向一方側（他方側）への操作力が第２可動体９２に入力される。このため、第２可動体９２が、図９に示される初期状態の姿勢を維持しつつ、第２方向一方側（他方側）へ移動する（図１０（Ａ）及び（Ｂ）参照）。
【０１２７】
ここで、第２可動体９２の一端部には、係合部９２Ｊ２が形成され、第２可動体９２の他端部には、係合部９２Ｊ２が形成されており、係合部９２Ｊ２、９２Ｌ２は、ロータリーノブアッシー４０の被係合凹部４０Ｅと係合可能に構成されている。そして、スライドノブ８０が第２方向一方側（他方側）へ操作時に、第２可動体９２が第２方向一方側（他方側）へ移動すると、係合部９２Ｌ２（係合部９２Ｊ２）が、ロータリーノブアッシー４０の被係合凹部４０Ｅ内に挿入される（図１０（Ｃ）及び（Ｄ）参照）。このため、ロータリーノブアッシー４０の周方向において、係合部９２Ｌ２（係合部９２Ｊ２）と被係合凹部４０Ｅとが係合する。これにより、ロータリーノブアッシー４０の回転操作を制限することができる。
【０１２８】
以上により、第２の実施の形態では、スライドノブ８０及びロータリーノブアッシー４０を有する多機能型の入力装置１００において、スライドノブ８０の第１方向及び第２方向への操作時に、ロータリーノブアッシー４０の回転操作を制限することができる。
【０１２９】
さらに、第１可動体９０（第２可動体９２）には、第１配置孔９０Ｍ（第２配置孔９２Ｍ）が形成されている。また、第１配置孔９０Ｍの内周部には、一対の第１係合凹部９０Ｍ１（第２係合凹部９２Ｍ１）が形成されており、第１係合凹部９０Ｍ１（第２係合凹部９２Ｍ１）は、第１突起２２Ｋ（第２突起２２Ｌ）に係合可能に構成されている。
【０１３０】
そして、スライドノブ８０の第１方向一方側（他方側）への操作時に、第１可動体９０が第１方向一方側（他方側）へ移動すると、一方（他方）の第１係合凹部９０Ｍ１内に第１突起２２Ｋが挿入して、一方（他方）の第１係合凹部９０Ｍ１と第１突起２２Ｋとが係合する（図１０（Ａ）及び（Ｂ）参照）。これにより、第１可動体９０の回動が第１突起２２Ｋによって制限される。
【０１３１】
また、スライドノブ８０の第２方向一方側（他方側）への操作時に、第２可動体９２が第２方向一方側（他方側）へ移動すると、一方（他方）の第２係合凹部９２Ｍ１内に第２突起２２Ｌが挿入して、一方（他方）の第２係合凹部９２Ｍ１と第２突起２２Ｌとが係合する（図１０（Ｃ）及び（Ｄ）参照）。これにより、第２可動体９２の回動が第１突起２２Ｋによって制限される。
【０１３２】
以上により、第２の実施の形態では、スライドノブ８０の第１方向及び第２方向への操作時に、ロータリーノブアッシー４０の回転操作を第１可動体９０及び第２可動体９２によって有効に制限することができる。このようにスライドノブ８０の第１方向及び第２方向への操作時に、ロータリーノブアッシー４０の回転操作を制限することによって、同時に操作された場合の操作優先度をコントローラ側で制御する必要がない。また、そのようにコントローラ側で優先操作制御をすることによってユーザが同時に操作したにもかかわらず、一方の操作しか反映されていないなど、ユーザに誤操作したという勘違いを感じさせることを防止することができ、操作性を向上することができる。
【０１３３】
（第３の実施の形態）
以下、図１１及び図１２を用いて、第３の実施の形態に係る入力装置２００について説明する。第３の実施の形態の入力装置２００では、以下に示す点を除いて、第１の実施の形態の入力装置１０と同様に構成されている。なお、図面では、第１の実施の形態と同様に構成されている部分に、同一の符号を付している。
【０１３４】
すなわち、第３の実施の形態では、第１可動体９０（第２可動体９２）の第１伝達孔９０Ｂ（第２伝達孔９２Ｂ）が、第１可動体９０（第２可動体９２）の長手方向に延在された略矩形状に形成されている。第１伝達孔９０Ｂ（第２伝達孔９２Ｂ）の幅寸法は、操作軸６２Ｄの直径寸法よりも僅かに大きく設定されており、第１伝達孔９０Ｂ（第２伝達孔９２Ｂ）の長手方向の寸法が操作軸６２Ｄの直径寸法よりも大きく設定されている。すなわち、第３の実施の形態では、操作軸６２Ｄが、第１可動体９０（第２可動体９２）の長手方向に相対移動可能に第１伝達孔９０Ｂ（第２伝達孔９２Ｂ）に挿入されている。
【０１３５】
また、第１可動体９０（第２可動体９２）の第１連結孔９０Ｆ（第２連結孔９２Ｆ）は、円形状に形成されて、第１連結軸２２Ｃ（第２連結軸２２Ｆ）が第１連結孔９０Ｆ（第２連結孔９２Ｆ）内に回動可能に挿入されている。
【０１３６】
そして、スライドノブ８０が非操作状態から第１方向一方側（他方側）へ操作されると、第１の実施の形態と同様に、操作軸６２Ｄが、軸線ＡＬに対して第１方向一方側（他方側）へ変位する。このため、第１方向一方側（他方側）への操作力が第２可動体９２に入力される。これにより、第２可動体９２が第２連結軸２２Ｆの軸回り一方側（他方側）へ回動して、第２被検出部９２Ｄにおける第２押圧部９２Ｄ１が第２検出体３４のアクチュエータ３４Ａを押圧する。その結果、第２検出体３４が作動して、制御部３６がスライドノブ８０の第１方向一方側（他方側）への操作を検出する（図１２（Ａ）及び（Ｂ）参照）。
【０１３７】
一方、スライドノブ８０が非操作状態から第２方向一方側（他方側）へ操作されると、第１の実施の形態と同様に、操作軸６２Ｄが、軸線ＡＬに対して第２方向一方側（他方側）へ変位する。このため、第２方向一方側（他方側）への操作力が第１可動体９０に入力される。これにより、第１可動体９０が第１連結軸２２Ｃの軸回り一方側（他方側）へ回動して、第１被検出部９０Ｄにおける第１押圧部９０Ｄ１が第１検出体３２のアクチュエータ３２Ａを押圧する。その結果、第１検出体３２が作動して、制御部３６がスライドノブ８０の第２方向一方側（他方側）への操作を検出する（図１２（Ｃ）及び（Ｄ）参照）。
【０１３８】
以上により、第３の実施の形態においても、第１可動体９０（第２可動体９２）の回動によって第１検出体３２（第２検出体３４）が作動するため、第１の実施の形態と同様に、スライドノブ８０の操作量を小さくしつつ、スライドノブ８０の操作を検出することができる。
【０１３９】
また、第３の実施の形態では、上述のように、第１可動体９０（第２可動体９２）の第１伝達孔９０Ｂ（第２伝達孔９２Ｂ）が、第１可動体９０（第２可動体９２）の長手方向に延在された略矩形状に形成されている。このため、スライドノブ８０が第１方向一方側（他方側）へ操作されると、操作軸６２Ｄが、第１可動体９０の第１伝達孔９０Ｂ内を長手方向に相対移動する。このため、第１可動体９０には、スライドノブ８０の第１方向一方側（他方側）への操作力が入力（伝達）されない。これにより、第１可動体９０が移動せずに、第１可動体９０の初期状態が維持することができる（図１２（Ａ）及び（Ｂ）参照）。したがって、例えば、スライドノブ８０の第１方向への操作時における、第１検出体３２による誤検出を抑制することができる。
【０１４０】
同様に、スライドノブ８０が第２方向一方側（他方側）へ操作されると、操作軸６２Ｄが、第２可動体９２の第２伝達孔９２Ｂ内を長手方向に相対移動する。このため、第２可動体９２には、スライドノブ８０の第２方向一方側（他方側）への操作力が入力（伝達）されない。これにより、第２可動体９２が移動せずに、第２可動体９２の初期状態が維持することができる（図１２（Ｃ）及び（Ｄ）参照）。したがって、例えば、スライドノブ８０の第２方向への操作時における、第２検出体３４による誤検出を抑制することができる。
【０１４１】
さらに、入力装置２００によれば、上述のように、スライドノブ８０の第１方向（第２方向）への操作時に、第１可動体９０（第２可動体９２）の移動が制限される。このため、例えば、スライドノブ８０の操作力を低くすることができ、ひいては操作者の利便性に寄与することができる。
【０１４２】
なお、第１〜第３の実施の形態では、第１連結孔９０Ｆが第１可動体９０に形成されており、第１連結軸２２Ｃがリッド２０に形成されている。これに代えて、第１可動体９０に第１連結軸を形成し、リッド２０に第１連結孔を形成してもよい。また、第１〜第３の実施の形態では、第２連結孔９２Ｆが第２可動体９２に形成されており、第２連結軸２２Ｆがリッド２０に形成されている。これに代えて、第２可動体９２に第２連結軸を形成し、リッド２０に第２連結孔を形成してもよい。
【０１４３】
また、第１〜第３の実施の形態では、第１検出体３２及び第２検出体３４が双方向検出素子として構成されている。これに代えて、第１検出体３２及び第２検出体３４を一方向の検出素子として構成してもよい。この場合には、例えば、第１可動体９０の第１被検出部９０Ｄの幅方向外側に、一対の第１検出体３２を配置してもよいし、第２可動体９２の第２被検出部９２Ｄの幅方向外側に、一対の第２検出体３４を配置してもよい。
【符号の説明】
【０１４４】
１０          入力装置
１２          ケース
２０          リッド（支持部材）
２０Ａ        リブ
２２          支持部
２２Ａ        支持凹部
２２Ｂ        傾斜凹部
２２Ｃ        第１連結軸（連結軸）
２２Ｄ        第１係止爪
２２Ｅ        第１ボス
２２Ｆ        第２連結軸（連結軸）
２２Ｇ        第２係止爪
２２Ｈ        第２ボス
２２Ｊ        支持片
２２Ｋ        第１突起（突起）
２２Ｌ        第２突起（突起）
３０          基板
３０Ａ        孔部
３２          第１検出体（検出体）
３２Ａ        アクチュエータ（揺動部）
３４          第２検出体（検出体）
３４Ａ        アクチュエータ（揺動部）
３６          制御部
３８          回転用検出体
３８Ａ        アクチュエータ
４０          ロータリーノブアッシー（回転操作部材）
４０Ａ        把持部
４０Ｂ        保持爪
４０Ｂ１      保持爪部
４０Ｃ        保持突起
４０Ｄ        被検出突起
４０Ｅ        被係合凹部
４２          軟質部
４４          硬質部
５０          スライド機構
５２          ホルダ
５２Ａ        固定鍔
５２Ｂ        収容部
５２Ｃ        挿通孔
５２Ｃ１      第１挿通孔
５２Ｃ２      第２挿通孔
５２Ｃ３      第３挿通孔
５２Ｃ４      第４挿通孔
５２Ｄ        支持柱
５２Ｅ        ガイドキー
５４          スライダ
５４Ａ        ガイド部
５４Ｂ        挿通孔
５４Ｃ        スライド片
５４Ｄ        スライド溝
５４Ｅ        ガイドレール
５４Ｆ        ガイド溝
６０          移動機構
６２          シャフト
６２Ａ        シャフトベース
６２Ｂ        ストッパ片
６２Ｂ１      基部
６２Ｂ２      ストッパ部
６２Ｃ        シャフト本体
６２Ｄ        操作軸
６２Ｅ        ピン収容部
６２Ｅ１      第１ピン収容部
６２Ｅ２      第２ピン収容部
６２Ｆ        固定凹部
６４          ピン
６４Ａ        鍔部
６６          付勢バネ
６８          ノブベース
６８Ａ        固定孔
６８Ｂ        ガイド片
６８Ｃ        ガイドレール
６８Ｄ        ガイド溝
６８Ｅ        係合片
６８Ｅ１      係合孔
７０          基板
７２          スイッチ
７４          接続部材
８０          スライドノブ（操作体）
８０Ａ        ガイド孔
８０Ｂ        ガイド片
８０Ｃ        ボス
８２          タッチパッド
８４          ノブリング
８４Ａ        固定片
９０          第１可動体（可動体）
９０Ａ        第１伝達部（伝達部）
９０Ｂ        第１伝達孔（伝達孔）
９０Ｃ        傾斜部
９０Ｄ        第１被検出部（被検出部）
９０Ｄ１      第１押圧部（押圧部）
９０Ｄ２      第１スリット（逃げ部）
９０Ｅ        第１連結部
９０Ｆ        第１連結孔（連結孔）
９０Ｇ        第１位置決め孔
９０Ｈ        クランク部
９０Ｊ        一端側係合部
９０Ｊ１      ベース部
９０Ｊ２      係合部
９０Ｋ        クランク部
９０Ｌ        他端側係合部
９０Ｌ１      ベース部
９０Ｌ２      係合部
９０Ｍ        第１配置孔（配置孔）
９０Ｍ１      第１係合凹部（係合凹部）
９２          第２可動体（可動体）
９２Ａ        第２伝達部（伝達部）
９２Ｂ        第２伝達孔（伝達孔）
９２Ｄ        第２被検出部（被検出部）
９２Ｄ１      第２押圧部（押圧部）
９２Ｄ２      第２スリット（逃げ部）
９２Ｅ        第２連結部
９２Ｆ        第２連結孔（連結孔）
９２Ｇ        第２位置決め孔
９２Ｊ        一端側係合部
９２Ｊ１      ベース部
９２Ｊ２      係合部
９２Ｌ        他端側係合部
９２Ｌ１      ベース部
９２Ｌ２      係合部
９２Ｍ        第２配置孔（配置孔）
９２Ｍ１      第２係合凹部（係合凹部）
１００        入力装置
２００        入力装置
ｄ１          距離
ｄ２          軸間距離
ｄ３          距離
ｄ４          軸間距離
ＡＬ          軸線
Ｌ１          第１基準線
Ｌ２          第２基準線
Ｓ            ネジ
【図１】
2019033058.tif 000003
【図２】
2019033058.tif 000004
【図３】
2019033058.tif 000005
【図４】
2019033058.tif 000006
【図５】
2019033058.tif 000007
【図６】
2019033058.tif 000008
【図７】
2019033058.tif 000009
【図８】
2019033058.tif 000010
【図９】
2019033058.tif 000011
【図１０】
2019033058.tif 000012
【図１１】
2019033058.tif 000013
【図１２】
2019033058.tif 000014